(57)【要約】【課題】この発明は、軽量化および薄型化が可能な表示装置を提供することを課題とする。【解決手段】表示装置１００は、表示パネル１０２の背面側にフレーム１０およびサブフレーム３０の組立体を備え、フレーム１０の内側に回路基板４１を備え、サブフレーム３０の内側に別の回路基板４２を備えている。【選択図】      図４
2010002939.tif 000002
【特許請求の範囲】
【請求項１】
表示パネルと、
この表示パネルの背面に沿って幅方向に延設され、当該表示パネルに固定される横フレームと、
回路基板を上記表示パネルに近付けて保持するように、上記横フレームの縁部から上記表示パネルに向けて延びて折り曲げられ、その先端を当該回路基板の前記表示パネル側の面の縁に当接して支持固定する複数の支持片部と、
を有することを特徴とする表示装置。
【請求項２】
上記表示パネルの背面に沿って配置され、上記横フレームに取り付けられる枠状のサブフレームをさらに有し、上記回路基板に重ならないように、このサブフレームの内側に別の回路基板を取り付けたことを特徴とする請求項１に記載の表示装置。
【請求項３】
上記横フレームは、上記表示パネルの上記幅方向端縁より内側に離れた位置に左右端を有することを特徴とする請求項１に記載の表示装置。
【請求項４】
表示パネルと、
この表示パネルの背面に沿って上下方向に延設され、当該表示パネルに固定される縦フレームと、
回路基板を上記表示パネルに近付けて保持するように、上記縦フレームの縁部から上記表示パネルに向けて延びて折り曲げられ、その先端を当該回路基板の前記表示パネル側の面の縁に当接して支持固定する複数の支持片部と、
を有することを特徴とする表示装置。
【請求項５】
上記表示パネルの背面に沿って配置され、上記縦フレームに取り付けられる枠状のサブフレームをさらに有し、上記回路基板に重ならないように、このサブフレームの内側に別の回路基板を取り付けたことを特徴とする請求項４に記載の表示装置。
【請求項６】
上記縦フレームの上下端は、上記表示パネルの前面側に配置されたフロントカバーに固定されることを特徴とする請求項４に記載の表示装置。
【発明の詳細な説明】
【技術分野】
【０００１】
この発明は、液晶ディスプレイやプラズマディスプレイなどの平面パネル構造の表示装置に関する。
【背景技術】
【０００２】
従来、液晶ディスプレイやプラズマディスプレイなどの平面パネル構造の表示装置として、表示パネルの裏面側にシャーシ部材を備えたディスプレイ装置が知られている（例えば、特許文献１参照。）。この公報に開示されたディスプレイ装置のシャーシ部材は、表示パネルの裏面側に３枚のベース金属板を並べたベース板、これら３枚のベース金属板を結合するよう重ねられた枠状の金属板、およびベース板の水平方向および垂直方向の強度を補強するため枠状の金属板に重ねられた複数本のアングルを有する。複数本のアングルのうち垂直方向に延びた３本のアングルの上端部には、それぞれ、ディスプレイ装置を吊り下げて運搬するための吊り下げ金具が取り付けられている。
【先行技術文献】
【特許文献】
【０００３】
【特許文献１】特開２００７−１９９７０５号公報（［００３８］段落、図８）
【発明の概要】
【発明が解決しようとする課題】
【０００４】
通常、この種の平面型のディスプレイ装置は、表示パネルの背面側に複数の電子部品を搭載した回路基板を備えている。このため、上記公報に開示されたシャーシ部材のように、複数の金属部材を装置の厚さ方向に重ねて配置した場合、シャーシ部材に回路基板をさらに重ねて配置すると、ディスプレイ装置が厚くなってしまう。また、複数の金属部材を重ねてシャーシ部材を構成することで、ディスプレイ装置が重くなってしまう。
【０００５】
この発明の目的は、軽量化および薄型化が可能な表示装置を提供することにある。
【課題を解決するための手段】
【０００６】
上記目的を達成するため、本発明の表示装置は、表示パネルと、この表示パネルの背面に沿って幅方向に延設され、当該表示パネルに固定される横フレームと、回路基板を上記表示パネルに近付けて保持するように、上記横フレームの縁部から上記表示パネルに向けて延びて折り曲げられ、その先端を当該回路基板の前記表示パネル側の面の縁に当接して支持固定する複数の支持片部と、を有する。
【０００７】
また、本発明の表示装置は、表示パネルと、この表示パネルの背面に沿って上下方向に延設され、当該表示パネルに固定される縦フレームと、回路基板を上記表示パネルに近付けて保持するように、上記縦フレームの縁部から上記表示パネルに向けて延びて折り曲げられ、その先端を当該回路基板の前記表示パネル側の面の縁に当接して支持固定する複数の支持片部と、を有する。
【０００８】
上記発明によると、横フレーム或いは縦フレームの縁部から延設した複数の支持片部を用いて回路基板を支持固定する構造としたため、フレームに回路基板が重なることがなく、回路基板に搭載された複数の電子部品がフレームに干渉することがなく、その分、表示装置の厚さを薄くできる。
【発明の効果】
【０００９】
この発明の表示装置は、上記のような構成および作用を有しているので、軽量化および薄型化が可能である。
【図面の簡単な説明】
【００１０】
【図１】図１は、この発明の実施の形態に係る表示装置の外観斜視図である。
【図２】図２は、図１の表示装置のリアパネルを取り外した状態を示す背面側斜視図である。
【図３】図３は、図２のフレームにサブフレームを取り付けた組立体を示す背面図である。
【図４】図４は、図３の組立体を表示パネルの背面側に取り付けた状態の表示装置の背面図である。
【図５】図５は、図４の線V-Vで表示装置を切断した断面図である。
【発明を実施するための形態】
【００１１】
以下、図面を参照しながらこの発明の実施の形態について詳細に説明する。  
図１には、この発明の実施の形態に係る表示装置１００、すなわち液晶ディスプレイやプラズマディスプレイなどの平面型表示装置１００を右斜め前方から見た外観斜視図を示してある。また、図２には、この表示装置１００のリアカバーを取り外した状態を左斜め後方から見た外観斜視図を示してある。
【００１２】
図１および図２に示すように、表示装置１００は、前面側に表示面１０１を有する扁平な矩形状の表示パネル１０２、この表示パネル１０２のフロント側の周縁部を覆う枠状のフロントカバー１０４、表示パネル１０２の背面側に固定されるフレーム１０、このフレーム１０の下端に固定される支持スタンド１１０、および、フレーム１０および支持スタンド１１０の固定部を覆うように表示パネル１０２の裏面側に取り付けられる図示しないリアカバーを有する。
【００１３】
本実施の形態のフレーム１０は、表示装置１００の幅方向に互いに離間して上下方向に延設された２本の縦フレーム１２、１４、および表示装置１００の上下方向に互いに離間して幅方向に延設された２本の横フレーム１６、１８を井桁状に組み合わせた構造を有する。
【００１４】
各フレーム１２、１４、１６、１８は、それぞれ、１枚の帯状の金属板を孔開けおよび折り曲げ加工して形成され、その長手方向に沿った両縁部を略直角に折り曲げたリブを有する。このように、各フレーム１２、１４、１６、１８の幅方向両端辺に長手方向に延びたリブを設けることにより、各フレームの折り曲げ強度を高めている。
【００１５】
２本の横フレーム１６、１８は、その左右端を表示パネル１０２の背面にネジ留めすることにより、表示パネル１０２の背面板に固定される。また、２本の横フレーム１６、１８を掛け渡すように配置した２本の縦フレーム１２、１４は、その上下端をフロントカバー１０４の裏面側にネジ留めすることにより、フロントカバー１０４に固定される。なお、２本の縦フレーム１２、１４と２本の横フレーム１６、１８は、それぞれが重なる４箇所で表示パネル１０２の背面板にネジ留め固定される。
【００１６】
また、２本の縦フレーム１２、１４の中途部には、表示装置１００を壁に取り付けるための４つの壁掛け用持具２０（以下、単に持具２０と称する）が取り付けられている。図示しないリアカバーを取り付けた状態で、フレーム１０が覆われて４つの持具２０だけが表示装置１００の背面に露出するように、各持具２０の高さが設計されている。
【００１７】
なお、４つの持具２０のレイアウトを壁側の図示しない取り付け孔に一致させるように、２本の縦フレーム１２、１４のピッチが決められている。一方、４つの持具２０の縦方向のピッチは、対応する縦フレーム１２、１４に対する取り付け位置を上下方向に変更することで任意に変更できる。また、横フレーム１６、１８の縦方向のピッチおよび取り付け位置は、任意に変更できる。縦フレーム１２、１４の間隔は、表示パネルの横幅から任意決めてもよいが、ＶＥＳＡピッチと呼ばれるピッチに合わせた間隔とすることで、壁側の取り付け金具を一般化でき、都合がよい。
【００１８】
また、２本の縦フレーム１２、１４それぞれの下端には、支持スタンド１１０の左右のスタンドアッシー１１２、１１４が固定される。本実施の形態の支持スタンド１１０は、表示装置１００を載置する載置台１２０と平行に延びた第１部材（図示せず）の中途部に第２部材を立設した略Ｔ字状の２つのスタンドアッシー１１２、１１４、および各スタンドアッシー１１２、１１４の第２部材を挿通して第１部材を覆うとともに第１部材を固定するスタンドカバー１１６を有する。つまり、左右２つのスタンドアッシー１１２、１１４のピッチも、２本の縦フレーム１２、１４のピッチに合わせられている。
【００１９】
図３には、上述したフレーム１０に枠状のサブフレーム３０を取り付けた組立体を表示装置１００のリア側から見た背面図を示してある。この組立体１０、３０は、上述したように表示パネル１０２の背面側に取り付けられる（図４参照）が、図３では、図示明瞭化のため、この組立体１０、３０以外の構造物の図示を省略してある。
【００２０】
サブフレーム３０は、表示装置１００の上下方向に延びた１本の縦フレーム３１、この縦フレーム３１の上端に図中左端部を接続した横フレーム３２、および縦フレーム３１の下端に図中左端部を接続した横フレーム３３を有する。すなわち、このサブフレーム３０は、コの字を左右に反転した形状を有する。そして、上下に離間した２本の横フレーム３２、３３の図中右端部を、フレーム１０の図中左側の縦フレーム１２に接続している。
【００２１】
サブフレーム３０の４角の接続部分、すなわち２本の横フレーム３２、３３の両端は、上述したフレーム１０の横フレーム１６、１８と同様に、表示パネル１０２の背面板にネジ留め固定される。すなわち、縦フレーム３１の上端および上方の横フレーム３２の左端が１本のネジによって表示パネル１０２に固定され、縦フレーム３１の下端および下方の横フレーム３３の左端が１本のネジによって表示パネル１０２に固定され、横フレーム３２の右端とフレーム１０の左側の縦フレーム１２とが１本のネジによって表示パネル１０２に固定され、横フレーム３３の右端と縦フレーム１２とが１本のネジによって表示パネル１０２に固定される。
【００２２】
図４には、上記構造の組立体１０、３０を表示パネル１０２の背面側に取り付けた表示装置１００の背面図を示してある。図４でも、リアパネルの図示は省略してある。なお、図４では、組立体１０、３０に２枚の回路基板４１、４２を取り付けた状態を図示してある。つまり、井桁状のフレーム１０に回路基板４１を取り付けてあり、サブフレーム３０には別の回路基板４２を取り付けてある。なお、図示を省略したが、回路基板４１、４２の両面には、複数の電子部品が実装されている。
【００２３】
井桁状のフレーム１０に取り付けられる一方の回路基板４１は、フレーム１０の２本の縦フレーム１２、１４の内側端辺に凸設された複数の支持片部２５（図３参照）によって支持固定される。各支持片部２５は、図２および図５に示すように、表示パネル１０２の背面に向けて延出されて当該背面と略平行に折り曲げられている。つまり、回路基板４１は、２本の縦フレーム１２、１４の間で且つ２本の横フレーム１６、１８の間に入れ子状に配置され、少なくともフレーム１０と同じ程度の距離で表示パネル１０２に近付いた状態で取り付けられる。
【００２４】
図５には、図４の線V-Vで表示装置１００を切断した断面図を示してある。ここでも図示を省略したが、回路基板４１の両面には、複数の電子部品が実装されている。本実施の形態では、表示パネル１０２に近い横フレーム１６、１８と略同じ距離に回路基板４１を配置するよう複数の支持片部２５の長さを設定した。このため、表示パネル１０２から少し離れた縦フレーム１２、１４より回路基板４１が表示パネル１０２に近付いた状態となっている。
【００２５】
また、図５を見ると、回路基板４１に実装された複数の電子部品は、表示パネル１０２に干渉することがなく且つフレーム１０より背面側に大きく突出することもない。つまり、井桁状のフレーム１０の間に回路基板４１を配置したことで、平板状のフレームに回路基板を重ねた場合と比較して、回路基板４１に実装した電子部品を逃がすスペースを十分にとることができる。その結果、回路基板４１を表示パネル１０２に近付けることができるとともにフレーム１０の背面側に突出する構成部品を略無くすことができ、表示装置１００を薄くできる。
【００２６】
一方、別の回路基板４２は、図３に示すように、サブフレーム３０の内側端辺から凸設された複数の支持片部３５によって支持固定されている。本実施の形態のサブフレーム３０は、この回路基板４２を取り付ける目的のためにフレーム１０に取り付けられており、表示パネル１０２との間の距離についても特に制約はない。つまり、回路基板４２を支持する複数の支持片部３５は、必ずしも表示パネル１０２側に近付けるように折り曲げる必要はない。
【００２７】
しかしながら、この回路基板４２も、サブフレーム３０の内側で各フレーム３１、３２、３３に干渉しない位置に配置されているため、回路基板４２を表示パネル１０２に必要なだけ近付けることができ、且つ回路基板４２に実装された図示しない複数の電子部品の収容スペースを確保することもできる。
【００２８】
以上のように、本実施の形態によると、表示装置１００のフレーム１０を井桁構造にして、フレーム１０の内側端辺から凸設された複数の支持片部２５およびサブフレーム３０の内側端辺から凸設された複数の支持片部３５によって、回路基板４１、４２を支持固定するため、従来必要であった、基板を取り付けるためのシャーシが不要になるため、表示装置１００を軽量化できる。また、井桁構造のフレーム１０を採用したため、回路基板４１を表示パネル１０２に近付けることができ、表示装置１００を薄型化できる。
【００２９】
更に、壁掛金具２０を、縦フレーム１２、１４と別部品化して脱着可能にしたため、仕向け毎の壁掛金具２０の必要、不要が異なる場合であっても、製造過程で壁掛金具２０の取り付けの有無のみで仕向け先毎の表示装置を製造できるため、フレームを共通化でき、製造コストの低減も図ることができる。
【００３０】
また、本実施の形態のように、フレーム１０にサブフレーム３０を取り付けて別の回路基板４２を取り付けることもでき、基板の配置レイアウトの自由度も高い。また、サブフレーム自体も、表示装置１００の剛性を確保するためのフレーム１０とは違い、高い剛性を必要としないため、設計の自由度が高い。
【００３１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３２】
例えば、上述した実施の形態では、フレーム１０の内側に凸設した複数の支持片部２５によって回路基板４１を支持固定する場合について説明したが、これに限らず、図２に示すように、縦フレーム１４の外側に凸設した支持片部２６を用いてさらに別の回路基板（図示せず）を取り付けても良い。この場合、フレーム１０の図示右側にさらに別のサブフレームを取り付けても良い。
【００３３】
また、上述した実施の形態では、フレーム１０の支持片部２５を縦フレーム１２、１４の内側に凸設した場合について説明したが、横フレーム１６、１８にだけ支持片部を凸設しても良く、縦フレーム１２、１４、および横フレーム１６、１８の両方に支持片部２５を設けても良い。また、サブフレーム３０の支持片部３５についても、同様に、その取り付け位置は任意に変更可能である。
【００３４】
さらに、上述した実施の形態では、横フレーム１６、１８を表示パネル１０２の背面に近い側に取り付けて、その外側に２本の縦フレーム１２、１４を取り付けた場合について説明したが、これに限らず、縦フレーム１２、１４を表示パネル１０２に取り付けた後に横フレーム１６、１８を取り付けても良い。
【符号の説明】
【００３５】
１０…フレーム、１２、１４…縦フレーム、１６、１８…横フレーム、２０…壁掛け持具、２５、３５…支持片部、３０…サブフレーム、３１…縦フレーム、３２、３３…横フレーム、４１、４２…回路基板、１００…表示装置、１０２…表示パネル、１１０…支持スタンド。
【図１】
2010002939.tif 000003
【図２】
2010002939.tif 000004
【図３】
2010002939.tif 000005
【図４】
2010002939.tif 000006
【図５】
2010002939.tif 000007